(57)【要約】【課題】ＲＦ信号の電力増幅に関する要素と、ＲＦ信号の合成に関する要素とを分離させることができ、ＲＦ信号の合成に関する要素を容易に交換できる電力増幅装置を提供する。【解決手段】増幅部１は、増幅回路２が出力したＲＦ信号を出力するための出力コネクタ３を増幅回路毎に備える。その出力コネクタ３は、水平方向に並ぶように配置される。合成部５は、増幅部１の出力コネクタ３から出力されたＲＦ信号が入力される入力コネクタ６を、出力コネクタ３毎に備える。その入力コネクタは、水平方向に並ぶように配置される。増幅部１と合成部５とは、出力コネクタ３および入力コネクタ６を介して着脱可能である。増幅部１の筐体と合成部５の筐体とは、増幅部１と合成部５が接続されているときに、１対１対応している。【選択図】図１６
2020074600.tif 000002
【特許請求の範囲】
【請求項１】
テレビジョン信号送信システムに設けられる電力増幅装置であって、
ＲＦ（Ｒａｄｉｏ  Ｆｒｅｑｕｅｎｃｙ）信号の電力を増幅する増幅回路を所定数含む増幅回路の組を少なくとも１組含む増幅部と、
前記組に対応付けて設けられ、対応する組に属する増幅回路が出力するＲＦ信号を合成して出力する合成器を含む合成部とを備え、
前記増幅部は、前記増幅回路を収める１つの筐体を備え、
前記増幅部は、前記増幅回路が出力したＲＦ信号を出力するための出力コネクタを前記増幅回路毎に備え、
前記出力コネクタは、水平方向に並び、
前記合成部は、前記増幅部の前記出力コネクタから出力されたＲＦ信号が入力される入力コネクタを、前記出力コネクタ毎に備え、
前記入力コネクタは、水平方向に並び、
前記増幅部と前記合成部とは、前記出力コネクタおよび前記入力コネクタを介して着脱可能であり、
前記増幅部の筐体と前記合成部の筐体とは、前記増幅部と前記合成部が接続されているときに、１対１対応している
ことを特徴とする電力増幅装置。
【請求項２】
前記増幅部は、前記増幅回路を所定数含む増幅回路の組を複数組含み、
前記合成部は、前記増幅回路が出力するＲＦ信号を合成して出力する第１の合成器を複数含むとともに、前記第１の合成器が出力するＲＦ信号を合成する第２の合成器を含む
請求項１に記載の電力増幅装置。
【請求項３】
前記入力コネクタは、フローティングコネクタである
請求項１または請求項２に記載の電力増幅装置。
【請求項４】
前記出力コネクタはそれぞれ、対応する前記増幅回路が出力するＲＦ信号をそのまま出力する
請求項１から請求項３のうちのいずれか１項に記載の電力増幅装置。
【請求項５】
前記増幅回路は、ＦＥＴ（Ｆｉｅｌｄ  Ｅｆｆｅｃｔ  Ｔｒａｎｓｉｓｔｏｒ）である
請求項１から請求項４のうちのいずれか１項に記載の電力増幅装置。
【請求項６】
前記合成部の合成器は、ドハティ合成器である
請求項１から請求項５のうちのいずれか１項に記載の電力増幅装置。
【請求項７】
前記増幅回路の各組は、３つの増幅回路を含み、当該３つの増幅回路のうち、１つの増幅回路は、ＡＢ級またはＢ級の動作をするように設定された増幅回路であり、残りの２つの増幅回路は、Ｃ級の動作をするように設定された増幅回路であり、
前記合成部の合成器は、ドハティ合成器である
請求項１から請求項６のうちのいずれか１項に記載の電力増幅装置。
【請求項８】
前記増幅回路の各組は、２つの増幅回路を含み、当該２つの増幅回路のうち、１つの増幅回路は、ＡＢ級またはＢ級の動作をするように設定された増幅回路であり、残りの１つの増幅回路は、Ｃ級の動作をするように設定された増幅回路であり、
前記合成部の合成器は、ドハティ合成器である
請求項１から請求項６のうちのいずれか１項に記載の電力増幅装置。
【請求項９】
請求項１から請求項８のうちのいずれか１項に記載の電力増幅装置を備えるテレビジョン信号送信システム。
【発明の詳細な説明】
【技術分野】
【０００１】
本発明は、ＲＦ（Radio Frequency ）信号の電力を増幅する電力増幅装置、および、そのような電力増幅装置を備えるテレビジョン信号送信システムに関する。
【背景技術】
【０００２】
特許文献１には、ＲＦ信号の電力増幅に用いられる電力増幅器が記載されている。特許文献１に記載された電力増幅器には、第１増幅ユニットと第２増幅ユニットとの組が複数組設けられ、各組に対してドハティ合成器が設けられている。さらに、特許文献１に記載された電力増幅器には、各ドハティ合成器の出力信号を合成する広帯域合成器が設けられている。第１増幅ユニットには、ＡＢ級またはＢ級で動作する複数の増幅回路が並列に設けられ、さらに、それらの増幅回路の出力信号を合成する合成器が設けられている。第２増幅ユニットには、Ｃ級で動作する複数の増幅回路が並列に設けられ、さらに、それらの増幅回路の出力信号を合成する合成器が設けられている。特許文献１に記載された電力増幅器では、各第１増幅ユニット、各第２増幅ユニット、各ドハティ合成器、および広帯域合成器がそれぞれ異なる筐体に収納されていて、ドハティ合成器を交換できる。
【０００３】
特許文献１に記載された電力増幅器では、特許文献１の図５に示されているように、第１増幅ユニットおよび第２増幅ユニットは上下方向に並べて配置される。そして、第１増幅ユニットおよび第２増幅ユニットの組に対応するドハティ合成器では、ＲＦ信号が入力される２つの入力コネクタが縦方向に並ぶように配置されている。また、第１増幅ユニットおよび第２増幅ユニットは、それぞれ１つの出力コネクタを備えている。そして、上側に配置される第１増幅ユニットの出力コネクタが、ドハティ合成器の上側の入力コネクタに接続され、下側に配置される第２増幅ユニットの出力コネクタが、ドハティ合成器の下側の入力コネクタに接続される。
【０００４】
特許文献２には、数１０ｋＷクラスの固体化短波帯送信システムが記載されている。特許文献２に記載の固体化短波帯送信システムは、複数の前段合成器と１つの後段合成器とを含む合成部を備える。また、各前段合成器には、個別に着脱可能な複数の電力増幅器が設けられている。各前段合成器は、複数の電力増幅器の出力を合成し、後段合成器は、複数の前段合成器の出力を合成する。
【０００５】
特許文献３には、分配器と合成器との間に複数の増幅ユニットを配置した構成が記載されている。特許文献３に記載された増幅ユニットは、複数個（例えば８個）の個別選択増幅器を１つのユニットとしてまとめたものであり、個別選択増幅器を追加する場合、増幅ユニット単位で追加される。
【０００６】
特許文献４には、互いに異なる通過帯域を有する複数の帯域通過フィルタと、１つまたは複数のサーキュレータとを有する電力合成装置が記載されている。特許文献４に記載の電力合成装置は、第１の帯域通過フィルタと第２の帯域通過フィルタとを第１のサーキュレータで接続させ、第ｎ（ｎは自然数）のサーキュレータと第ｎ＋２の帯域通過フィルタとを第ｎ＋１のサーキュレータで順次接続させる構成となっている。
【０００７】
また、テレビジョン放送の放送事業者は、ＵＨＦ（Ultra High Frequency）帯域（４７０〜８６２ＭＨｚ）やＶＨＦ（Very High Frequency ）帯域（１７０〜２３０ＭＨｚ）を一定の帯域幅で分割した周波数帯域を単位として、テレビジョン信号を送信して放送事業を行う認可を得る。例えば、ＵＨＦ帯域を使用する放送事業者は、ＵＨＦ帯域を８ＭＨｚの帯域幅で分割した周波数帯域を単位として、放送事業を行う認可を得る。なお、国によりＵＨＦ帯域を分割するときの帯域幅を６ＭＨｚや７ＭＨｚとする場合もある。
【先行技術文献】
【特許文献】
【０００８】
【特許文献１】国際公開第ＷＯ２０１４／１５５５１２号
【特許文献２】特開平１１−４１１１７号公報
【特許文献３】特開平９−２００１０５号公報
【特許文献４】特開２００４−１４０４４５号公報
【発明の概要】
【発明が解決しようとする課題】
【０００９】
また、テレビジョン信号送信システムに用いられる一般的な電力増幅装置の構成例として、図１７に示す構成が考えられる。図１７に示す一般的な電力増幅装置９０は、複数の増幅回路９１と、複数の前段合成器９２と、後段合成器９３とを備える一体型の装置である。図１７では、６個の増幅回路９１と、２つの前段合成器９２が設けられている場合を例示している。各前段合成器９２にはそれぞれ３つの増幅回路９１が接続されている。各増幅回路９１は、入力されるＲＦ信号の電力を増幅し、前段合成器９２に出力する。各前段合成器９２はそれぞれ、３つの増幅回路９１が出力したＲＦ信号を合成し、後段合成器９３に出力する。後段合成器９３は、２つの前段合成器９２が出力したＲＦ信号を合成し、電力増幅装置９０の後段の装置（図１７において図示略）に出力する。なお、上記のＲＦ信号は、テレビジョン信号として送信される信号である。
【００１０】
図１７に示す電力増幅装置９０は、複数の増幅回路９１から出力されるＲＦ信号を合成して出力するので、ＲＦ信号の出力端９４は１つである。また、図１７に示す電力増幅装置９０では、前段合成器９２および後段合成器９３が中央に配置されていて、各増幅回路９１の信号出力端はそれぞれ、電力増幅装置９０の中央側（前段合成器９２側）を向いている。従って、各増幅回路９１の信号出力端の向きと、電力増幅装置９０の出力端９４の向きとは異なっている。
【００１１】
各増幅回路９１は、広帯域のＲＦ信号の電力を増幅する。例えば、各増幅回路９１は、ＵＨＦ帯域全域、または、ＶＨＦ帯域全域に対して使用可能な増幅回路である。一方、電力増幅装置９０において、ＲＦ信号の合成に関する要素（特に、前段合成器９２）は、特定の周波数帯域のＲＦ信号を合成する。すなわち、電力増幅装置９０内の信号合成に関する要素（特に、前段合成器９２）は、放送事業者が認可を受けている周波数帯域のＲＦ信号を合成する。
【００１２】
電力増幅装置９０を製造する製造業者は、放送事業者が認可を受けている周波数帯域に合わせて、放送事業者毎に電力増幅装置９０を製造する。しかし、増幅回路９１は、広帯域のＲＦ信号の電力を増幅するので、製造業者にとっては、電力増幅装置９０のうちＲＦ信号の電力増幅に関する要素（増幅回路９１の集合）を放送事業者に依らずに共通化して製造し、各放送事業者に提供できるようにすることが好ましい。
【００１３】
また、放送事業者が、複数種類の周波数帯域に関して放送事業の認可を受ける場合もある。この場合、放送事業者は、認可を受けている周波数帯域毎に、図１７に示す電力増幅装置９０を使用する。図１７に示す一般的な電力増幅装置９０は一体型の装置であるので、増幅回路９１が故障した場合、電力増幅装置９０全体を交換することになる。電力増幅装置９０のうちＲＦ信号の電力増幅に関する要素（増幅回路９１の集合）が放送事業者に依らずに共通化され、信号合成に関する要素から分離できると仮定した場合、複数種類の電力増幅装置９０のうち、どの電力増幅装置９０の増幅回路９１が故障しても、電力増幅に関する要素に該当する部分のみを交換すればよい。しかし、図１７に示す一般的な電力増幅装置９０は一体型の装置であり、電力増幅に関する要素に該当する部分のみを交換することはできない。
【００１４】
さらに、信号合成に関する要素が故障した場合であっても、図１７に示す一体型の電力増幅装置９０では、信号合成に関する要素に該当する部分のみを交換することはできない。
【００１５】
従って、電力増幅装置９０のうちＲＦ信号の電力増幅に関する要素（増幅回路９１の集合）に該当する部分を共通化して、電力増幅に関する要素（増幅回路９１の集合）と、信号合成に関する要素とをそれぞれ別々に製造することができれば、電力増幅装置の製造業者にとっても、複数種類の周波数帯域に関して放送事業の認可を受けている放送事業者にとっても好ましい。
【００１６】
また、前述のように、特許文献１に記載された電力増幅器では、上側に配置される第１増幅ユニットの出力コネクタが、ドハティ合成器の上側の入力コネクタに接続され、下側に配置される第２増幅ユニットの出力コネクタが、ドハティ合成器の下側の入力コネクタに接続される（特許文献１の図５を参照）。特許文献１に記載の第１増幅ユニット、第２増幅ユニット、ドハティ合成器等は、ラックに収容されることになるが、一般的に後段側の装置がラックの奥側に収容されるので、ドハティ合成器がラックの奥側に収容され、第１増幅ユニットおよび第２増幅ユニットがラックの手前側に収容されることになる。すると、ドハティ合成器が故障した場合、上段の第１増幅ユニットと下段の第２増幅ユニットの一方だけをドハティ合成器から取り外しただけでは、ドハティ合成器をラックから取り出すことができない。ドハティ合成器をラックから取り出すためには、第１増幅ユニットおよび第２増幅ユニットの両方をドハティ合成器から取り外す必要がある。故障したドハティ合成器を容易に交換できるようにするためには、１つの装置を取り外しただけで、ドハティ合成器を取り出せることが好ましい。
【００１７】
そこで、本発明は、ＲＦ信号の電力増幅に関する要素と、ＲＦ信号の合成に関する要素とを分離させることができ、ＲＦ信号の合成に関する要素を容易に交換できる電力増幅装置、および、その電力増幅装置を備えるテレビジョン信号送信システムを提供することを目的とする。
【課題を解決するための手段】
【００１８】
本発明による電力増幅装置は、テレビジョン信号送信システムに設けられる電力増幅装置であって、ＲＦ（Radio Frequency ）信号の電力を増幅する増幅回路を所定数含む増幅回路の組を少なくとも１組含む増幅部と、組に対応付けて設けられ、対応する組に属する増幅回路が出力するＲＦ信号を合成して出力する合成器を含む合成部とを備え、増幅部が、増幅回路を収める１つの筐体を備え、増幅部が、増幅回路が出力したＲＦ信号を出力するための出力コネクタを増幅回路毎に備え、出力コネクタが、水平方向に並び、合成部が、増幅部の出力コネクタから出力されたＲＦ信号が入力される入力コネクタを、出力コネクタ毎に備え、入力コネクタが、水平方向に並び、増幅部と合成部とが、出力コネクタおよび入力コネクタを介して着脱可能であり、増幅部の筐体と合成部の筐体とが、増幅部と合成部が接続されているときに、１対１対応していることを特徴とする。
【００１９】
また、本発明によるテレビジョン信号送信システムは、上記の電力増幅装置を備える。
【発明の効果】
【００２０】
本発明によれば、ＲＦ信号の電力増幅に関する要素と、ＲＦ信号の合成に関する要素とを分離させることができ、ＲＦ信号の合成に関する要素を容易に交換できる。
【図面の簡単な説明】
【００２１】
【図１】本発明の第１の実施形態の電力増幅装置の例を示す模式図である。
【図２】電力増幅装置の側面図である。
【図３】電力増幅装置の斜視図である。
【図４】増幅部と合成部とを接続させた場合の斜視図である。
【図５】合成部の構成例を示す模式図である。
【図６】本発明の第１の実施形態の電力増幅装置の処理経過の例を示すフローチャートである。
【図７】複数の電力増幅装置が配置される状態を示す模式図である。
【図８】２つの増幅回路２を１組とした場合の電力増幅装置の例を示す模式図である。
【図９】本発明の第２の実施形態の電力増幅装置の例を示す模式図である。
【図１０】増幅部と合成部とを接続させた状態を示す模式図である。
【図１１】本発明の第２の実施形態の電力増幅装置の処理経過の例を示すフローチャートである。
【図１２】横方向に並ぶ出力コネクタ３が２段に渡って配置されている増幅部の例を示す説明図である。
【図１３】本発明の第３の実施形態のテレビジョン信号送信システムの構成例を示すブロック図である。
【図１４】テレビジョン信号送信システムの処理経過の例を示すフローチャートである。
【図１５】電力増幅装置を１台備えるテレビジョン信号送信システムの例を示すブロック図である。
【図１６】本発明の電力増幅装置の概要を示すブロック図である。
【図１７】一般的な電力増幅装置の構成例を示す模式図である。
【発明を実施するための形態】
【００２２】
以下、図面を参照して本発明の実施形態を説明する。
【００２３】
実施形態１．
図１は、本発明の第１の実施形態の電力増幅装置の例を示す模式図である。本実施形態の電力増幅装置１０は、増幅部１と、合成部５とを備える。図１では、増幅部１および合成部５が接続されていない状態を例示している。
【００２４】
増幅部１は、複数の増幅回路２を備える。なお、図１は上面図であり、上方から電力増幅装置１０を見た場合における増幅部１内の増幅回路２の配置位置を模式的に示している。ただし、各増幅回路２は、増幅部１の筐体に収められていて、実際には外部から目視できない。
【００２５】
増幅部１には、増幅回路２を所定数含む増幅回路２の組が少なくとも１組設けられている。第１の実施形態では、増幅回路２の組が複数設けられている場合を説明する。図１では、３つの増幅回路２を１組として、増幅回路２の組が２組設けられている場合を例示している。増幅部１に設けられる増幅回路２の組の数は３組以上であってもよい。
【００２６】
各増幅回路２は、入力されたＲＦ信号の電力を増幅し、電力増幅後のＲＦ信号を出力する。このＲＦ信号は、テレビジョン信号として送信される信号である。
【００２７】
また、各増幅回路２は、例えば、ＦＥＴ（Field Effect Transistor ）によって実現される。以下、各増幅回路２がＦＥＴによって実現される場合を例にして説明する。
【００２８】
増幅部１は、増幅回路２が出力したＲＦ信号を出力するための出力コネクタ３を、増幅回路２毎に備えている。よって、増幅回路２と出力コネクタ３とは一対一に対応している。各出力コネクタ３は、増幅部１の側面のうち、合成部５に対向する側面１１上で水平方向に並ぶように配置されている。個々の増幅回路２は、増幅回路２の信号出力端が、対応する出力コネクタ３の方向を向くように配置されている。そして、各出力コネクタ３は、対応する増幅回路２の信号出力端に接続されていて、対応する増幅回路２が出力するＲＦ信号をそのまま出力する。従って、任意の１つの出力コネクタ３に着目した場合、その出力コネクタ３は、対応する１つの増幅回路２が出力するＲＦ信号をそのまま出力する。よって、増幅部１には、増幅回路２が出力したＲＦ信号を合成する回路は含まれない。
【００２９】
また、合成部５は、出力コネクタ３から出力されたＲＦ信号が入力される入力コネクタ６を、出力コネクタ３毎に備えている。よって、増幅部１の出力コネクタ３と、合成部５の入力コネクタ６とは、一対一に対応している。従って、増幅回路２と入力コネクタ６も一対一に対応していると言うことができる。各入力コネクタ６は、合成部５の側面のうち、増幅部１に対向する側面５１上で水平に並ぶように配置されている。
【００３０】
増幅部１において水平に並ぶ各出力コネクタ３、および合成部５において水平に並ぶ各入力コネクタ６は、対応している出力コネクタ３と入力コネクタ６同士がそれぞれ同時に接続されるように配置される。例えば、隣り合う出力コネクタ３の中心軸間の間隔と、隣り合う入力コネクタ６の中心軸間の間隔とが等しくなるように、各出力コネクタ３および各入力コネクタ６が配置される。
【００３１】
従って、増幅部１と合成部５とは、出力コネクタ３および入力コネクタ６を介して着脱可能である。対応している出力コネクタ３と入力コネクタ６同士がそれぞれ同時に接続させることにより、増幅部１および合成部５は接続状態になる。図１に示す例では、６個の出力コネクタ３と６個の入力コネクタ６とを同時に接続させることで、増幅部１および合成部５は接続状態になる。
【００３２】
なお、各入力コネクタ６は、フローティングコネクタである。
【００３３】
出力コネクタ３および入力コネクタ６は、同軸コネクタであり、出力コネクタ３および入力コネクタ６が接続されている状態で、増幅回路２が出力したＲＦ信号は、出力コネクタ３および入力コネクタ６を介して、合成部５に入力される。合成部５は、各入力コネクタ６から入力されたＲＦ信号を合成し、合成後のＲＦ信号を出力端９から出力する。なお、出力端９は、合成部５において、入力コネクタ６が配置される側面５１とは反対側の側面に設けられる。合成部５の構成については、後述する。
【００３４】
次に、出力コネクタ３が配置される増幅部１の側面１１と、入力コネクタ６が配置される合成部５の側面５１との関係について説明する。図２は、電力増幅装置１０の側面図である。また、図３は、電力増幅装置１０の斜視図である。図４は、増幅部１と合成部５とを接続させた場合の斜視図である。なお、図１に示す要素と同一の要素については、図１と同一の符号を付す。合成部５の側面５１の幅の広さは、増幅部１の側面１１の幅の広さ以下である。すなわち、増幅部１の側面１１の幅の広さをＷ１とし、合成部５の側面５１の幅の広さをＷ２とした場合（図１、図３参照）、Ｗ２≦Ｗ１である。さらに、合成部５の側面５１の高さは、増幅部１の側面１１の高さ以下である。すなわち、増幅部１の側面１１の高さをＨ１とし、合成部５の側面５１の高さをＨ２とした場合（図２、図３参照）、Ｈ２≦Ｈ１である。従って、入力コネクタ６が配置される合成部５の側面５１は、出力コネクタ３が配置される増幅部１の側面１１の寸法内に収まる。また、増幅部１と合成部５とを接続させた状態で側面５１が側面１１の範囲からはみ出さないように、出力コネクタ３および入力コネクタ６は配置される。この結果、図４に示すように、増幅部１と合成部５とを接続させた状態で側面５１は、側面１１の範囲からはみ出さない。
【００３５】
図５は、合成部５の構成例を示す模式図である。図５では、図１に示す増幅部１と合成部５とを接続させた状態を示している。なお、図５に示す例では、各出力コネクタ３と各入力コネクタ６とを接続させた結果、個々の出力コネクタ３は対応する入力コネクタ６の内部に存在している。合成器７は、増幅部１に設けられた増幅回路２の組に対応付けて合成部５に設けられる。第１の実施形態では、増幅回路２の組が複数存在するので、合成部５は、複数の合成器７を備える。図５に示す例では、増幅部１において、３つの増幅回路２を１組として、増幅回路２の組が２組設けられているので、合成部５には２つの合成器７が設けられる。
【００３６】
合成器７は、その合成器７に対応する組に属する各増幅回路２に対応する入力コネクタ６に接続されている。換言すれば、増幅回路２に対応する入力コネクタ６は、その増幅回路２が属している組（増幅回路２の組）に対応する合成器７に接続されている。そして、合成器７には、その合成器７に対応する組に属する各増幅回路２から出力されたＲＦ信号が入力され、合成器７は、そのＲＦ信号合成し、合成後のＲＦ信号を出力する。本例では、合成器７には、その合成器７に対応する組に属する３つの増幅回路２から出力されたＲＦ信号が入力される。
【００３７】
本発明では、合成部５が、複数の合成器７を備える場合、合成部５は、さらに１つの合成器８を備える。第１の実施形態では、合成部５は、複数の合成器７を備えるので、さらに１つの合成器８も備える。以下、合成器７と合成器８とを区別するために、合成器７を第１の合成器７と記し、合成器８を第２の合成器８と記す。第２の合成器８は、各第１の合成器７から出力されたＲＦ信号を合成し、合成後のＲＦ信号を出力端９から出力する。出力端９から出力されたＲＦ信号は、電力増幅装置１０の後段の装置に送られる。
【００３８】
各増幅回路２が増幅可能なＲＦ信号の周波数帯域は、広帯域である。例えば、各増幅回路２は、ＵＨＦ帯域全域、または、ＶＨＦ帯域全域に対して使用可能な増幅回路である。
【００３９】
一方、第１の合成器７は、特定の周波数帯域のＲＦ信号に対して使用可能な合成器である。換言すれば、第１の合成器７は、合成可能なＲＦ信号の周波数帯域が限定されている合成器である。第１の合成器７は、電力増幅装置１０を使用するテレビジョン放送の放送事業者が認可を受けている周波数帯域のＲＦ信号を合成する。既に説明したように、放送事業者は、ＵＨＦ帯域やＶＨＦ帯域を一定の帯域幅で分割した周波数帯域を単位として、放送事業の認可を得る。第１の合成器７は、放送事業者が認可を受けている周波数帯域のＲＦ信号を合成できるように設計されている。
【００４０】
第１の合成器７として、例えば、ドハティ合成器を用いればよい。ドハティ合成器は、常にＲＦ信号の増幅動作を行うメイン増幅器（以下、メインアンプという。）が出力するＲＦ信号と、高電力出力時に動作するピーク増幅器（以下、ピークアンプという。）が出力するＲＦ信号とを合成する合成器である。以下、図５に示す各第１の合成器７がいずれもドハティ合成器である場合を例にして説明する。
【００４１】
ドハティ合成器は、伝送線路（例えば銅板）（図示略）を有し、その伝送線路の長さによって、合成可能なＲＦ信号の周波数帯域を調整することができる。第１の合成器７の製造時に、合成可能なＲＦ信号の周波数帯域が、電力増幅装置１０を使用する放送事業者が認可を受けている周波数帯域に応じて調整されている。
【００４２】
第１の合成器７としてドハティ合成器を用いる場合、第１の合成器７に対応する組（増幅回路２の組）は、メインアンプに該当する増幅回路２と、ピークアンプに該当する増幅回路２とを含む。以下、メインアンプに該当する増幅回路を符号２ａで表し、ピークアンプに該当する増幅回路を符号２ｂで表す。図１から図５に示す電力増幅装置１０では、１つの組に含まれる３つの増幅回路２のうち、１つがメインアンプに該当する増幅回路２ａであり、残りの２つがピークアンプに該当する増幅回路２ｂである。
【００４３】
増幅回路２をメインアンプとして用いるか、ピークアンプとして用いるかは、増幅回路２に対する設定により変更することができる。具体的には、増幅回路２に対するバイアス電圧のかけ方によって、増幅回路２をメインアンプにするか、ピークアンプにするかを定めることができる。
【００４４】
メインアンプとして動作させる増幅回路２ａに対しては、ＡＢ級またＢ級の動作をするようにバイアス電圧をかければよい。
【００４５】
ピークアンプとして動作させる増幅回路２ｂに対しては、Ｃ級の動作をするようにバイアス電圧をかければよい。
【００４６】
この結果、各第１の合成器７は、ＡＢ級またＢ級の動作をするように設定された１つの増幅回路２ａが出力したＲＦ信号と、Ｃ級の動作をするように設定された２つの増幅回路２ｂが出力したＲＦ信号とを合成する。
【００４７】
第２の合成器８は、広帯域のＲＦ信号を合成可能な合成器でよい。例えば、第２の合成器８は、ＵＨＦ帯域全域、または、ＶＨＦ帯域全域のＲＦ信号を合成可能な合成器でよい。例えば、第２の合成器８として、３ｄＢカプラを用いてもよい。
【００４８】
また、第２の合成器８として、ウィルキンソン合成器を用いてもよい。
【００４９】
次に、電力増幅装置１０の処理経過について説明する。図６は、本発明の第１の実施形態の電力増幅装置１０の処理経過の例を示すフローチャートである。ただし、対応している出力コネクタ３と入力コネクタ６同士がそれぞれ同時に接続されていて、増幅部１と合成部５とが接続状態になっているものとする。そして、電力増幅装置１０が運用されている状態であるものとする。
【００５０】
組をなす１つの増幅回路２ａおよび２つの増幅回路２ｂには、ＲＦ信号が入力される。このＲＦ信号の周波数帯域は、電力増幅装置１０を使用する放送事業者が認可を受けている周波数帯域に収まっている。増幅回路２ａはメインアンプとして動作し、増幅回路２ｂはピークアンプとして動作し、増幅回路２ａ，２ｂは電力増幅後のＲＦ信号を、その組に対応する第１の合成器７に出力する。増幅回路２の各組は、それぞれ同様に動作する（ステップＳ１）。なお、ステップＳ１において、個々の増幅回路２は、接続されている出力コネクタ３および入力コネクタ６を介して、増幅回路２が属している組に対応する第１の合成器７に電力増幅後のＲＦ信号を出力する。
【００５１】
個々の第１の合成器７は、対応する組に属する１つの増幅回路２ａおよび２つの増幅回路２ｂから出力されたＲＦ信号を合成し、合成後のＲＦ信号を第２の合成器８に出力する（ステップＳ２）。
【００５２】
第２の合成器８は、各第１の合成器７から出力されたＲＦ信号を合成し、合成後のＲＦ信号を出力端９から出力する（ステップＳ３）。出力端９から出力されたＲＦ信号は、電力増幅装置１０の後段の装置に送られる。
【００５３】
本実施形態よれば、増幅部１と合成部５とは、出力コネクタ３および入力コネクタ６を介して着脱可能である。従って、ＲＦ信号の電力増幅に関する要素と、ＲＦ信号の合成に関する要素とを分離させることができる。具体的には、増幅部１および合成部５を分離させることができる。
【００５４】
従って、電力増幅装置１０を製造する製造業者にとっては、放送事業者に依らずに増幅部１を共通化して製造することができる。
【００５５】
また、放送事業者が、複数種類の周波数帯域に関して放送事業の認可を受け、認可を受けた周波数帯域毎にそれぞれ異なる電力増幅装置１０を使用するとする。電力増幅装置１０のうち増幅部１は、周波数帯域に依らずに共通化されている。従って、放送事業者は、予備の増幅部１を有していれば、どの電力増幅装置１０の増幅部１に故障が生じたとしても、故障が生じた増幅部１を予備の増幅部１に交換することができ、迅速に電力増幅装置１０を復旧させることができる。
【００５６】
また、前述のように、放送事業者は、ＵＨＦ帯域やＶＨＦ帯域を一定の帯域幅で分割した周波数帯域を単位として、放送事業の認可を得る。第１の合成器７は、放送事業者が認可を受けている周波数帯域のＲＦ信号を合成できるように設計されている。本発明によれば、増幅部１内には、増幅回路２が出力したＲＦ信号を合成する回路は含まれず、増幅部１と合成部５とを接続させた場合、第１の合成器７で、放送事業者が認可を受けている周波数帯域のＲＦ信号を合成することができる。すなわち、第１の合成器７が合成可能なＲＦ信号の周波数帯域幅を適切に定めることができる。
【００５７】
増幅部１には、増幅回路２が出力したＲＦ信号を合成する回路は含まれず、出力コネクタ３は、対応する増幅回路２が出力するＲＦ信号を最短でそのまま出力する。従って、増幅部１内における通過ロスを抑え、消費電力効率を向上させることができる。
【００５８】
また、第１の合成器７としてドハティ合成器を用いることで、ＲＦ信号の電力増幅時の消費電力効率を向上させることができる。ドハティ合成器を用いる場合、ドハティ合成器にＲＦ信号を出力する複数の増幅回路２をメインアンプやピークアンプに設定し、使用する周波数にて最適に調整されたドハティ合成器を使用することにより、ＲＦ信号の電力増幅時の消費電力効率を向上させることができる。さらに、電力増幅時の消費電力効率が向上することで、低消費電力化を実現することができる。
【００５９】
また、電力増幅装置１０は、ラックに収容されて使用される。既に説明したように、一般的に後段側の装置がラックの奥側に収容されるので、ラック内において、合成部５は増幅部１よりも奥側に配置される。本発明では、増幅部１が横方向に並ぶ出力コネクタ３を備え、合成部５が横方向に並ぶ入力コネクタ６を備える。そして、各出力コネクタ３と各入力コネクタ６とを接続させることにより、増幅部１および合成部５は接続状態になる。さらに、入力コネクタ６が配置される合成部５の側面５１は、出力コネクタ３が配置される増幅部１の側面１１の寸法内に収まる。従って、合成部５が故障した際には、作業者は、その合成部５に接続されている１台の増幅部１を取り外せば、その合成部５も取り出すことができ、合成部５を容易に交換することができる。
【００６０】
電力増幅装置１０は、後述の第３の実施形態で説明するテレビジョン信号送信システムに適用される。このとき、１台の電力増幅装置１０のみが使用されてもよく、複数の電力増幅装置１０が使用されてもよい。図７は、複数の電力増幅装置１０が配置される状態を示す模式図である。複数台の電力増幅装置１０が使用される場合、ラック（図示略）内において、複数の電力増幅装置１０が上下方向に複数段に渡って配置される。図７では、３台の電力増幅装置１０が上下情報に３段に渡って配置されている状態を例示している。例えば、上から２段目の電力増幅装置１０の合成部５が故障したとする。この場合、作業者は、上から２段目の電力増幅装置１０の増幅部１をラックから取り出すことで、故障した合成部５もラックから取り出すことができる。このように、故障した合成部５を交換する際に、複数の増幅部１を取り出す必要がなく、合成部５を容易に交換することができる。
【００６１】
なお、１台の電力増幅装置１０のみが使用される場合には、ラック（図示略）に、その１台の電力増幅装置１０が配置される。その場合にも、合成部５が故障したときには、作業者は、その電力増幅装置１０の増幅部１をラックから取り出せば、故障した合成部５もラックから取り出すことができ、合成部５を容易に交換することができる。
【００６２】
また、各入力コネクタ６は、フローティングコネクタである。そのため、増幅部１の出力コネクタ３の配置位置に若干のずれがあったとしても、対応している出力コネクタ３と入力コネクタ６同士をそれぞれ同時に接続させることができる。
【００６３】
次に、本実施形態の変形例について説明する。
上記の説明では、１つの組に含まれる３つの増幅回路２のうち、１つがメインアンプに該当する増幅回路２ａであり、残りの２つがピークアンプに該当する増幅回路２ｂである場合を示した。１つの組に含まれる３つの増幅回路２のうち、２つがメインアンプに該当する増幅回路２ａであり、残りの１つがピークアンプに該当する増幅回路２ｂであってもよい。
【００６４】
また、１つの組に含まれる増幅回路２の数が２個であってもよい。以下、２つの増幅回路２を１組とする場合について説明する。また、以下の説明では、上記の実施形態と同様に、増幅部１に含まれる増幅回路２の組の数が２組である場合を例にして説明するが、増幅部１に含まれる増幅回路２の組の数は３組以上であってもよい。
【００６５】
図８は、２つの増幅回路２を１組とした場合の電力増幅装置の例を示す模式図である。図１ないし図５に示す要素と同一の要素については、図１ないし図５と同一の符号を付し詳細な説明を省略する。なお、図８に示す例では、各出力コネクタ３と各入力コネクタ６とを接続させた結果、個々の出力コネクタ３は対応する入力コネクタ６の内部に存在している。
【００６６】
図８に例示する構成では、２つの増幅回路２を１組としているため、出力コネクタ３および入力コネクタ６の数はそれぞれ４個であり、図１に例示する構成と異なる。しかし、出力コネクタ３および入力コネクタ６の配置や、出力コネクタ３が配置される増幅部１の側面１１と、入力コネクタ６が配置される合成部５の側面５１との関係については、上記の実施形態と同様である。
【００６７】
図８に例示する構成においても、図５に示す場合と同様に、合成部５は、複数の第１の合成器７と、１つの第２の合成器８とを備える。図８に示す例では、２つの増幅回路２を１組として、増幅回路２の組が２組設けられているので、合成部５には第１の合成器７が２つ設けられる。第１の合成器７には、その第１の合成器７に対応する組に属する２つの増幅回路２から出力されたＲＦ信号が入力され、第１の合成器７は、そのＲＦ信号を合成し、合成後のＲＦ信号を第２の合成器８に出力する。
【００６８】
第１の合成器７は、特定の周波数帯域のＲＦ信号に対して使用可能な合成器である。換言すれば、第１の合成器７は、合成可能なＲＦ信号の周波数帯域が限定されている合成器である。ここでは、各第１の合成器７がいずれもドハティ合成器である場合を例にして説明する。
【００６９】
図８に示す例において、第１の合成器７に対応する組（増幅回路２の組）が２つの増幅回路２を含んでいる。第１の合成器７としてドハティ合成器を用いる場合、１つの組に属する２つの増幅回路２のうち、一方をメインアンプとして用い、他方をピークアンプとして用いればよい。メインアンプとして動作させる増幅回路２ａに対しては、ＡＢ級またはＢの動作をするようにバイアス電圧をかければよい。また、ピークアンプとして動作させる増幅回路２ｂに対しては、Ｃ級の動作をするようにバイアス電圧をかければよい。
【００７０】
この結果、各第１の合成器７は、ＡＢ級またはＢ級の動作をするように設定された１つの増幅回路２ａが出力したＲＦ信号と、Ｃ級の動作をするように設定された１つの増幅回路２ｂが出力したＲＦ信号とを合成する。
【００７１】
図８に例示する構成の電力増幅装置１０の処理経過は、既に説明したステップＳ１〜Ｓ３と同様であり、説明を省略する。
【００７２】
図８に示すように２つの増幅回路２を１組とした場合においても、３つの増幅回路２を１組とした場合と同様の効果が得られる。
【００７３】
また、各第１の合成器７はウィルキンソン合成器であってもよい。各第１の合成器７としてウィルキンソン合成器を用いる場合、個々の組に属する各増幅回路２は全て、ＡＢ級の動作をするように設定される。例えば、図８に示すように、２つの増幅回路２を１組として、増幅回路２の組が複数組、増幅部１に設けられているとする。また、その個々の組に対応する第１の合成器７としてウィルキンソン合成器が合成部５に設けられているとする。この場合、個々の組に属する各増幅回路２に対してそれぞれ、ＡＢ級の動作をするようにバイアス電圧をかければよい。
【００７４】
ただし、第１の合成器７としてドハティ合成器を用いる場合の方が、第１の合成器７としてウィルキンソン合成器を用いる場合よりも電力増幅時の消費電力効率が高い。従って、第１の合成器７としてドハティ合成器を用いることがより好ましい。
【００７５】
実施形態２．
本発明の第２の実施形態では、増幅回路２を所定数含む増幅回路２の組が増幅部１に１組設けられている場合を示す。図９は、本発明の第２の実施形態の電力増幅装置の例を示す模式図である。第１の実施形態で示した要素と同様の要素については、第１の実施形態で示した符号と同一の符号を付し、詳細な説明を省略する。
【００７６】
本発明において、合成器７は、増幅部１に設けられた増幅回路２の組に対応付けて設けられる。第２の実施形態では、増幅回路２を所定数含む増幅回路２の組が増幅部１に１組設けられるので、合成部５は、その１組に対応する１つの合成器７を備える。また、合成部５に設けられる合成器７の数は１つであるで、第２の実施形態では、合成部５に第２の合成器８（図５参照）は設けられない。一般に、ＦＥＴの出力側から見たリターンロス特性は良くなく全反射となる。従って、その出力側から見たリターンロス特性を改善するために、合成部５は、１つの合成器７の後段にアイソレータ１５を備えていてもよい。
【００７７】
図９に示す例では、増幅部１は、３つの増幅回路２を含む組を１組備える。従って、増幅部１に設けられる出力コネクタ３および合成部５に設けられる入力コネクタ６の数はそれぞれ３個である。しかし、出力コネクタ３および入力コネクタ６の配置や、出力コネクタ３が配置される増幅部１の側面１１と、入力コネクタ６が配置される合成部５の側面５１との関係については、第１の実施形態と同様である。
【００７８】
合成器７は、例えば、ドハティ合成器である。合成器７としてドハティ合成器を用いる場合、増幅回路２の組に含まれる３つの増幅回路２のうち、１つをメインアンプとして用い、残りの２つをピークアンプとして用いる。メインアンプとして動作させる増幅回路２ａに対しては、ＡＢ級またＢ級の動作をするようにバイアス電圧をかければよい。ピークアンプとして動作させる増幅回路２ｂに対しては、Ｃ級の動作をするようにバイアス電圧をかければよい。
【００７９】
この結果、合成器７は、ＡＢ級またＢ級の動作をするように設定された１つの増幅回路２ａが出力したＲＦ信号と、Ｃ級の動作をするように設定された２つの増幅回路２ｂが出力したＲＦ信号とを合成する。合成器７は、合成後の信号を、アイソレータ１５を介して出力端９から出力する。第１の実施形態と同様に、出力端９は、合成部５において、入力コネクタ６が配置される側面５１とは反対側の側面に設けられる。出力端９から出力されたＲＦ信号は、電力増幅装置１０の後段の装置に送られる。
【００８０】
図１０は、本発明の第２の実施形態において、増幅部１と合成部５とを接続させた状態を示す模式図である。第１の実施形態と同様に、対応している出力コネクタ３と入力コネクタ６同士がそれぞれ同時に接続させることで、増幅部１および合成部５は接続状態となる。図１０に示す例では、各出力コネクタ３と各入力コネクタ６とを接続させた結果、個々の出力コネクタ３は対応する入力コネクタ６の内部に存在している。
【００８１】
次に、電力増幅装置１０の処理経過について説明する。図１１は、本発明の第２の実施形態の電力増幅装置１０の処理経過の例を示すフローチャートである。ただし、図１０に示すように、増幅部１と合成部５とが接続状態になっていて、電力増幅装置１０が運用されている状態であるものとする。
【００８２】
組をなす１つの増幅回路２ａおよび２つの増幅回路２ｂには、ＲＦ信号が入力される。このＲＦ信号の周波数帯域は、電力増幅装置１０を使用する放送事業者が認可を受けている周波数帯域に収まっている。増幅回路２ａはメインアンプとして動作し、増幅回路２ｂはピークアンプとして動作し、増幅回路２ａ，２ｂは電力増幅後のＲＦ信号を、合成器７に出力する（ステップＳ１１）。ステップＳ１１において、個々の増幅回路２は、接続されている出力コネクタ３および入力コネクタ６を介して、合成器７に電力増幅後のＲＦ信号を出力する。
【００８３】
合成器７は、１つの増幅回路２ａおよび２つの増幅回路２ｂから出力されたＲＦ信号を合成し、合成後のＲＦ信号を、アイソレータ１５を介して出力端９から出力する。出力端９から出力されたＲＦ信号は、電力増幅装置１０の後段の装置に送られる。
【００８４】
第２の実施形態においても、第１の実施形態と同様の効果が得られる。
【００８５】
また、第１の実施形態で説明した種々の変形例は、第２の実施形態にも適用される。
【００８６】
例えば、１つの組に含まれる３つの増幅回路２のうち、２つがメインアンプに該当する増幅回路２ａであり、残りの１つがピークアンプに該当する増幅回路２ｂであってもよい。
【００８７】
また、例えば、増幅回路２の組が、２つの増幅回路を含む構成であってもよい。合成器７がドハティ合成器である場合、２つの増幅回路２のうち、一方をメインアンプとして用い、他方をピークアンプとして用いればよい。メインアンプとして動作させる増幅回路２ａに対しては、ＡＢ級またはＢの動作をするようにバイアス電圧をかければよい。また、ピークアンプとして動作させる増幅回路２ｂに対しては、Ｃ級の動作をするようにバイアス電圧をかければよい。
【００８８】
また、例えば、合成器７がウィルキンソン合成器であってもよい。例えば、２つの増幅回路２を含む増幅回路２の組が１つ増幅部１に設けられているとする。また、合成部５には、その組に対応する１つの合成器７としてウィルキンソン合成器が設けられているとする。この場合、その２つの増幅回路２に対してそれぞれ、ＡＢ級の動作をするようにバイアス電圧をかければよい。
【００８９】
第１の実施形態および第２の実施形態において、出力コネクタ３が配置される増幅部１の側面１１には、横方向に並ぶ出力コネクタ３が、複数段に渡って配置されていてもよい。図１２は、横方向に並ぶ出力コネクタ３が２段に渡って配置されている増幅部１の例を示す説明図である。図１２に示す例では、増幅部１の側面１１において、横方向に６個に並ぶ出力コネクタ３が２段に渡って配置されている。各段に並ぶ出力コネクタ３の数は共通である。また、増幅部１には、横方向に並んでいる上段の６個の出力コネクタ３に対応する増幅回路２（図１２において図示略）と、横方向に並んでいる下段の６個の出力コネクタ３に対応する増幅回路２（図１２において図示略）がそれぞれ設けられている。この場合、電力増幅装置１０は、６個の出力コネクタ３に対応する６個の入力コネクタ６を備える合成部５を２台備え、一方の合成部５を横方向に並んでいる上段の６個の出力コネクタ３に接続させ、もう一方の合成部５を横方向に並んでいる上段の６個の出力コネクタ３に接続させればよい。なお、このとき、２台の合成部５を１つの筐体にまとめてもよい。
【００９０】
実施形態３．
次に、本発明の第３の実施形態として、テレビジョン信号送信システムについて説明する。図１３は、本発明の第３の実施形態のテレビジョン信号送信システムの構成例を示すブロック図である。図１３に例示するテレビジョン信号送信システム２０は、増幅部１と合成部５とを含む電力増幅装置１０を複数台備える。電力増幅装置１０は、第１の実施形態またはその変形例で説明した電力増幅装置１０であってもよく、あるいは、第２の実施形態またはその変形例で説明した電力増幅装置１０であってもよい。ただし、個々の電力増幅装置１０は同様の構成である。以下に示す説明では、テレビジョン信号送信システム２０が第１の実施形態で説明した電力増幅装置１０を複数台備えている場合を例にして説明する。
【００９１】
複数の電力増幅装置１０は、ラック（図示略）内において、上下方向に複数段に渡って配置される。なお、図１３では、増幅部１と合成部５とが接続されていて、出力コネクタ３は対応する入力コネクタ６の内部に存在している。また、図１３では、増幅部１内の増幅回路２や、合成部５内の第１の合成器７および第２の合成器８の図示を省略している。
【００９２】
テレビジョン信号送信システム２０は、さらに、エキサイタ２１と、分配器２２と、電力合成器２３と、フィルタ部２４と、アンテナ２５と、コントローラ２６とを備える。
【００９３】
エキサイタ２１は、分配器２２に接続されている。エキサイタ２１は、テレビジョン信号として送信されるＲＦ信号を発生させ、分配器２２に出力する。このＲＦ信号の周波数帯域は、テレビジョン信号送信システム２０を使用する放送事業者が認可を受けている周波数帯域である。
【００９４】
分配器２２は、各電力増幅装置１０の増幅部１に接続されている。個々の増幅部１と分配器２２とは、着脱可能である。例えば、分波器２２の各出力コネクタと各電力増幅装置１０（より具体的には各増幅部１）の各入力コネクタとがそれぞれ同軸ケーブルで接続される構成でもよい。
【００９５】
分配器２２は、エキサイタ２１から出力されたＲＦ信号を、各電力増幅装置１０の増幅部１に設けられた各増幅回路２に分配する。
【００９６】
電力合成器２３は、各電力増幅装置１０の合成部５に接続されている。個々の合成部５と電力合成器２３とは、着脱可能である。
【００９７】
電力合成器２３は、各電力増幅装置１０の合成部５から出力されたＲＦ信号を電力合成した後、フィルタ部２４およびアンテナ２５を介して出力する。
【００９８】
フィルタ部２４は、テレビジョン信号送信システム２０を使用する放送事業者が認可を受けている周波数帯域のＲＦ信号のみを通過させるバンドパスフィルタである。
【００９９】
コントローラ２６は、エキサイタ２１の動作のオン、オフを切り替えたり、各増幅部１の状態を監視したりする。
【０１００】
次に、テレビジョン信号送信システム２０の処理経過について説明する。図１４は、テレビジョン信号送信システム２０の処理経過の例を示すフローチャートである。
【０１０１】
エキサイタ２１は、ＲＦ信号を発生させ、分配器２２に出力する（ステップＳ２１）。
【０１０２】
次に、分配器２２は、エキサイタ２１から出力されたＲＦ信号を、各増幅部１内の各増幅回路２（図１３において図示略）に分配する（ステップＳ２２）。
【０１０３】
ステップＳ２２の後の電力増幅装置１０の動作は、既に説明した動作（本例では、第１の実施形態におけるステップＳ１〜Ｓ３）と同様であり、ここでは説明を省略する。
【０１０４】
ステップＳ３の後、電力合成器２３は、各合成部５が出力端９から出力したＲＦ信号を電力合成した後、フィルタ部２４およびアンテナ２５を介して送信する（ステップＳ２３）。
【０１０５】
本実施形態のテレビジョン信号送信システム２０は、第１の実施形態やその変形例で説明した電力増幅装置１０、または第２の実施形態やその変形例で説明した電力増幅装置１０を備える。従って、本実施形態においても、第１の実施形態や第２の実施形態と同様の効果が得られる。
【０１０６】
また、テレビジョン信号送信システム２０は、電力増幅装置１０を１台備える構成であってもよい。図１５は、電力増幅装置１０を１台備えるテレビジョン信号送信システムの例を示すブロック図である。図１３に示す要素と同一の要素に関しては、図１３と同一の符号を付し説明を省略する。
【０１０７】
テレビジョン信号送信システム２０が備える電力増幅装置１０の台数が１台である場合、分配器２２および電力合成器２３は設けられていなくてよい（図１５参照）。これは、複数の合成部５から出力されたＲＦ信号を電力合成する必要がないためである。
【０１０８】
図１５に示す構成において、合成部５とフィルタ部２４とは、着脱可能である。例えば、合成部５の出力コネクタ（前述の出力端９）とフィルタ部２４の入力コネクタとが同軸フィーダで接続される構成でもよい。また、増幅部１とエキサイタ２１とは、着脱可能である。例えば、エキサイタ２１の出力コネクタと、増幅部１の入力コネクタとが同軸ケーブルで接続される構成でもよい。
【０１０９】
図１５に示す構成では、電力増幅装置１０の合成部５は、合成後のＲＦ信号を、フィルタ部２４およびアンテナ２５を介して送信する。
【０１１０】
次に、本発明の概要について説明する。図１６は、本発明の電力増幅装置の概要を示すブロック図である。本発明の電力増幅装置１０は、テレビジョン信号送信システムに設けられる。本発明の電力増幅装置１０は、ＲＦ信号の電力を増幅する増幅回路２を所定数含む増幅回路２の組を少なくとも１組含む増幅部１と、組に対応付けて設けられ、対応する組に属する増幅回路２が出力するＲＦ信号を合成して出力する合成器７を含む合成部５とを備える。増幅部１は、増幅回路２を収める１つの筐体を備える。
【０１１１】
増幅部１は、増幅回路２が出力したＲＦ信号を出力するための出力コネクタ３を増幅回路２毎に備える。その出力コネクタ３は、水平方向に並ぶように配置される。
【０１１２】
合成部５は、増幅部１の出力コネクタ３から出力されたＲＦ信号が入力される入力コネクタ６を、出力コネクタ３毎に備える。その入力コネクタは、水平方向に並ぶように配置される。
【０１１３】
増幅部１と合成部５とは、出力コネクタ３および入力コネクタ６を介して着脱可能である。
【０１１４】
増幅部１の筐体と合成部５の筐体とは、増幅部１と合成部５が接続されているときに、１対１対応している。
【０１１５】
そのような構成により、ＲＦ信号の電力増幅に関する要素（増幅部１）と、ＲＦ信号の合成に関する要素（合成部５）とを分離させることができ、ＲＦ信号の合成に関する要素（合成部５）を容易に交換できる。
【０１１６】
上記の実施形態は、以下の付記のようにも記載され得るが、以下に限定されるわけではない。
【０１１７】
（付記１）テレビジョン信号送信システムに設けられる電力増幅装置であって、ＲＦ（Ｒａｄｉｏ  Ｆｒｅｑｕｅｎｃｙ）信号の電力を増幅する増幅回路を所定数含む増幅回路の組を少なくとも１組含む増幅部と、前記組に対応付けて設けられ、対応する組に属する増幅回路が出力するＲＦ信号を合成して出力する合成器を含む合成部とを備え、前記増幅部は、前記増幅回路を収める１つの筐体を備え、前記増幅部は、前記増幅回路が出力したＲＦ信号を出力するための出力コネクタを前記増幅回路毎に備え、前記出力コネクタは、水平方向に並び、前記合成部は、前記増幅部の前記出力コネクタから出力されたＲＦ信号が入力される入力コネクタを、前記出力コネクタ毎に備え、前記入力コネクタは、水平方向に並び、前記増幅部と前記合成部とは、前記出力コネクタおよび前記入力コネクタを介して着脱可能であり、前記増幅部の筐体と前記合成部の筐体とは、前記増幅部と前記合成部が接続されているときに、１対１対応していることを特徴とする電力増幅装置。
【０１１８】
（付記２）前記増幅部は、前記増幅回路を所定数含む増幅回路の組を複数組含み、前記合成部は、前記増幅回路が出力するＲＦ信号を合成して出力する第１の合成器を複数含むとともに、前記第１の合成器が出力するＲＦ信号を合成する第２の合成器を含む付記１に記載の電力増幅装置。
【０１１９】
（付記３）前記入力コネクタは、フローティングコネクタである付記１または付記２に記載の電力増幅装置。
【０１２０】
（付記４）前記出力コネクタはそれぞれ、対応する前記増幅回路が出力するＲＦ信号をそのまま出力する付記１から付記３のうちのいずれかに記載の電力増幅装置。
【０１２１】
（付記５）前記増幅回路は、ＦＥＴ（Field Effect
Transistor）である付記１から付記４のうちのいずれかに記載の電力増幅装置。
【０１２２】
（付記６）前記合成部の合成器は、ドハティ合成器である付記１から付記５のうちのいずれかに記載の電力増幅装置。
【０１２３】
（付記７）前記増幅回路の各組は、３つの増幅回路を含み、当該３つの増幅回路のうち、１つの増幅回路は、ＡＢ級またはＢ級の動作をするように設定された増幅回路であり、残りの２つの増幅回路は、Ｃ級の動作をするように設定された増幅回路であり、前記合成部の合成器は、ドハティ合成器である付記１から付記６のうちのいずれかに記載の電力増幅装置。
【０１２４】
（付記８）前記増幅回路の各組は、２つの増幅回路を含み、当該２つの増幅回路のうち、１つの増幅回路は、ＡＢ級またはＢ級の動作をするように設定された増幅回路であり、残りの１つの増幅回路は、Ｃ級の動作をするように設定された増幅回路であり、前記合成部の合成器は、ドハティ合成器である付記１から付記６のうちのいずれかに記載の電力増幅装置。
【０１２５】
（付記９）付記１から付記８のうちのいずれかに記載の電力増幅装置を備えるテレビジョン信号送信システム。
【産業上の利用可能性】
【０１２６】
本発明は、テレビジョン信号送信システムや、テレビジョン信号送信システムに設けられる電力増幅装置に好適に適用される。
【符号の説明】
【０１２７】
１  増幅部
２  増幅回路
３  出力コネクタ
５  合成部
６  入力コネクタ
７  合成器（第１の合成器）
８  第２の合成器
１０  電力増幅装置
２０  テレビジョン信号送信システム
２１  エキサイタ
２２  分配器
２３  電力合成器
２４  フィルタ部
２５  アンテナ
２６  コントローラ
【図１】
2020074600.tif 000003
【図２】
2020074600.tif 000004
【図３】
2020074600.tif 000005
【図４】
2020074600.tif 000006
【図５】
2020074600.tif 000007
【図６】
2020074600.tif 000008
【図７】
2020074600.tif 000009
【図８】
2020074600.tif 000010
【図９】
2020074600.tif 000011
【図１０】
2020074600.tif 000012
【図１１】
2020074600.tif 000013
【図１２】
2020074600.tif 000014
【図１３】
2020074600.tif 000015
【図１４】
2020074600.tif 000016
【図１５】
2020074600.tif 000017
【図１６】
2020074600.tif 000018
【図１７】
2020074600.tif 000019